(57)【特許請求の範囲】
【請求項１】
横または縦に１列以上配列して設置され、複数の締結孔とパイプ溝が形成される複数の支持板と、
一側面が開口された箱からなり、底面には、前記締結孔に挿入される複数の締結突起、前記支持板のパイプ溝が向き合って位置するパイプ溝、及び組み立て用孔が形成される複数の植栽箱と、
前記支持板のパイプ溝と植栽箱のパイプ溝の間に位置し、前記植栽箱の組み立て用孔で突出する複数の給水突起が形成される給水パイプとを含む、組み立て式造景システム。
【請求項２】
前記支持板に形成される２つ以上の締結孔及び１つの植栽箱に形成される２つ以上の締結突起は、互いに対応するように形成され、並びに１つの植栽箱に形成される前記２つ以上の締結突起は、互いに垂直になるように配列される請求項１に記載の組み立て式造景システム。
【請求項３】
前記締結突起の端部には、前記締結孔に挿入された状態で締結孔の周囲にかかって挿入された状態が維持されるようにかかり部を形成する、請求項１に記載の組み立て式造景システム。
【請求項４】
前記かかり部は一方向に配列された締結突起にのみ形成する、請求項３に記載の組み立て式造景システム。
【請求項５】
前記植栽箱の底面と向き合う前記支持板の一側面を階段形状に形成する、請求項１に記載の組み立て式造景システム。
【請求項６】
前記支持板の一側面を、平面に対して３〜６０°角度を成す傾斜面が多段の階段形状に配列される形状に形成する、請求項５に記載の組み立て式造景システム。
【請求項７】
前記植栽箱の底面を垂直面に対して３〜６０°角度を成す傾斜面に形成する、請求項１に記載の組み立て式造景システム。
【請求項８】
前記植栽箱の開口側端面を垂直面に対して３〜６０°角度を成す傾斜面に形成する、請求項１に記載の組み立て式造景システム。
【請求項９】
前記給水パイプに形成される各給水突起を通して一端の部分が植栽箱側に露出され、他側端部は前記給水パイプの内部空間を直径方向に横切って設置され、前記給水パイプ内部を流れる水を前記植栽箱側へ移動させる芯をさらに含む、請求項１に記載の組み立て式造景システム。
【請求項１０】
前記複数の支持板の周りに沿って環形状に枠組みを形成するように設けられる締切フレームをさらに含む、請求項１に記載の組み立て式造景システム。
【請求項１１】
前記複数の隣接した支持板同士で連結するための連結具が挿入される連結溝を角部に形成し、前記連結具は一対の水平部が所定の間隔をおいて一体に連結設置される「Ｈ」形状に形成し、１つの水平部は前記支持板の一側連結溝に挿入されるように構成し、他の１つの水平部は他の支持板の連結溝に挿入されるように構成する、請求項１に記載の組み立て式造景システム。
【請求項１２】
前記支持板に前記給水パイプを一定の面積で配列して設置した後、互いに一体化して１つのセットを構成する、請求項１に記載の組み立て式造景システム。
【請求項１３】
前記支持板のパイプ溝には、前記給水パイプが挿入された状態で簡単に離脱しないように固定するとめ突起を形成する、請求項１に記載の組み立て式造景システム。
【請求項１４】
前記植栽箱の互いに向き合う側面に形成される通気孔に対角方向に２個以上の根支持ひもを設置する、請求項１に記載の組み立て式造景システム。
【請求項１５】
前記給水パイプに水を供給する給水装置をさらに含み、前記給水装置は、水を供給する水供給源と、前記水供給源の水を前記給水パイプに供給し、給水開閉バルブが設けられる主給水管と、前記給水パイプの終端部に連結され、地面や排水口に連結され、排水開閉バルブが設けられる排水管と、前記支持板に設けられる温度測定部と、前記支持板に設けられる降雨感知部と、前記温度測定部と降雨感知部から入力される信号に応じて前記給水開閉バルブと排水開閉バルブに制御信号を印加する制御部を含む、請求項１に記載の組み立て式造景システム。
【請求項１６】
前記制御部では、前記温度測定部から入力される測定値が設定温度未満であれば、前記給水開閉バルブには閉鎖状態に変更する制御信号を印加すると同時に前記排水開閉バルブには開放状態に変更する制御信号を印加して排水状態を維持し、前記温度測定部から入力される測定値が設定温度以上であれば、前記給水開閉バルブには開放状態に変更する制御信号を印加すると同時に前記排水開閉バルブには閉鎖状態に変更する制御信号を印加して正常的な水供給状態を維持する、請求項１５に記載の組み立て式造景システム。
【請求項１７】
前記制御部では、前記降雨感知部から雨が降る信号が入力されると、前記温度測定部から入力される測定値に関係なく、前記給水開閉バルブに閉鎖状態に変更する制御信号を印加し、前記降雨感知部から雨が降る信号が入力されない場合には、前記温度測定部から入力される測定値に応じて制御信号を印加する、請求項１５に記載の組み立て式造景システム。
【請求項１８】
前記水供給源と主給水管の間にポンプを設置し、
前記制御部では、前記給水開閉バルブを閉鎖状態に変更する場合に前記ポンプの作動を停止させる制御信号を印加し、前記給水開閉バルブを開放状態に変更する場合に前記ポンプを作動させる制御信号を印加する、請求項１７に記載の組み立て式造景システム。
【請求項１９】
太陽光または風力を利用して発電を行う自家発電部と、前記自家発電部で発電した電気を充電し、前記制御部に電源として供給する蓄電池とをさらに含む、請求項１５に記載の組み立て式造景システム。
【発明の詳細な説明】
【技術分野】
【０００１】
本発明は組み立て式植栽箱及び組み立て式造景システムに関する。より詳しくは、本発明は、複数個を簡便に続けて設置してモジュール化することができ、給水パイプを通して便利に給水が行われる組み立て式植栽箱及び組み立て式造景システムに関する。
【背景技術】
【０００２】
一般に、花や木などが植えられた複数個の植木鉢が、家庭や室内外の装飾や環境美化、造景などのために配置される。
【０００３】
特に、各種建物のベランダ、公園、公共場所、道路周辺、橋梁などには植木鉢を多段に配置できる植木鉢支持台を設置される。多数の植木鉢が、飾りの目的のために、この植木鉢支持台に配列積載される。
【０００４】
また、底面に排水板が設置され、この排水板上に人工土壌などを利用して、植栽地盤が形成される。その上で、花や木などが植栽される。
【０００５】
このような状態で、花や木に水を供給するためには、じょうろや噴霧器、ホース、ひさごなどを利用して各々の植木鉢に周期的に水がかけられるようになる。
【０００６】
従来の植木鉢は、壁面などのように地面とほぼ垂直を成す部分に植木鉢を設置することが難しく、植木鉢を一定のパターンに配列及び整理することも難しい。このような理由のため、効果的な造景を行うことが難しい。
【０００７】
そして、排水板を設置して人工土壌で植栽地盤を形成する場合、必要に応じて植栽された植物を交替する作業が容易でなく、非常に煩わしい。
【０００８】
また、従来の植木鉢や排水板を利用すると、他の植物に変更して交替しようとする場合、植木鉢や植栽地盤に植栽された植物を抜いて除去して、他の場所へ移植した後、新たな植物を植栽するという煩わしい手順を踏まなければならない。
【０００９】
さらに、水を与える場合にも、植木鉢や植栽地盤内にのみ水を与えるのが容易でなくて周辺底面に水が流れて汚れ、美観を損なう場合が多い。じょうろやひさごなどを利用して水を与えるため、水の給水量を正確に調節することが難しい。結果として、水が過度に供給され、余分の水は底面へ流れるという事態が発生する。
【発明の概要】
【発明が解決しようとする課題】
【００１０】
本発明の目的は、前記のような問題点を解決するためのものであって、底面に締結突起が形成されるので、容易に組み立てられ、設置することが可能であり、底面に給水パイプを設置するためのパイプ溝を形成して一括して給水することが可能である組み立て式植栽箱を提供することにある。
【００１１】
また、本発明の他の目的は、植栽箱を支持板に続けて設置するので整列した状態で設置することが可能であり、他の植物が植栽された箱を交替することによって簡単に造景環境を変化させることができ、支持板と植栽箱の間に給水パイプを設置するので一括して便利に給水を行うことが可能である組み立て式造景システムを提供することにある。
【００１２】
本発明の他の目的は、植栽箱を横にした状態で設置することが可能であるので壁面などの装飾や造景が容易な組み立て式造景システムを提供することにある。
【００１３】
本発明の他の目的は、植栽箱を上向に傾くように設置するので植栽箱の内部から土砂などがこぼれることを防止することができる組み立て式造景システムを提供することにある。
【００１４】
本発明のまた他の目的は、太陽光による発電が可能であるので給水ポンプなどの可動に必要な電力を自体的に当てることが可能である組み立て式造景システムを提供することにある。
【課題を解決するための手段】
【００１５】
本発明による組み立て式植栽箱の実施形態は、箱状で、各側面には複数の通気孔が形成される本体と、前記本体の底面に突出して形成される複数の締結突起とを含んで構成される。
【００１６】
前記複数の締結突起は、互いに垂直に交差する方向に長い幅側が配列されるように形成する。
【００１７】
前記締結突起は、２〜１０個程度を横または縦に配列して形成する。
【００１８】
前記締結突起の端部にはかかり部を形成することも可能である。
【００１９】
そして、本発明による組み立て式植栽箱の実施形態は、前記本体の隣接して位置する２つの側面に高さ方向に所定の長さで突出して形成される１つ以上の結合突起と、前記結合突起が形成される側面と各々対向する２つの側面の対応する位置に高さ方向に所定の長さで突出して形成され、前記結合突起が挿入される結合溝が形成される１つ以上の溝突起とをさらに含むことも可能である。
【００２０】
前記本体の底面には、給水パイプが位置するパイプ溝と、前記パイプ溝に連結される１つ以上の組み立て用孔を形成する。
【００２１】
そして、本発明による組み立て式造景システムの実施形態は、横または縦に１列以上配列して設置され、複数の締結孔及びパイプ溝が形成される複数の支持板と、一側面が開口された箱からなり、底面には、前記締結孔に挿入される複数の締結突起とパイプ溝と組み立て用孔が形成される複数の植栽箱と、前記支持板のパイプ溝と植栽箱のパイプ溝の間に位置し、前記組み立て用孔で突出する複数の給水突起が形成される給水パイプとを含んで構成される。
【００２２】
前記植栽箱の開口側端面及び／または底面は傾斜面に形成することも可能である。
【００２３】
前記支持板の前記植栽箱の底面と向き合う一側面は階段形状に形成することも可能である。
【００２４】
前記で、複数の支持板の周りには環形状の締切フレームをさらに設置することも可能である。
【００２５】
また、本発明による組み立て式造景システムの実施形態は、水を供給する水供給源と、前記水供給源の水を前記給水パイプに供給し給水開閉バルブが設けられる主給水管と、前記給水パイプ終端部に連結され、地面や下水溝に連結され、排水開閉バルブが設けられる排水管と、前記支持板に隣接して設けられる温度測定部と、前記支持板に隣接して設けられる降雨感知部と、前記温度測定部及び降雨感知部から入力される信号に応じて前記給水開閉バルブ及び排水開閉バルブに制御信号を印加する制御部とを含む給水装置をさらに含むことも可能である。
【００２６】
前記制御部では、温度測定部から入力される測定値が設定温度（例えば、０℃、５℃、１０℃、１５℃など）未満であれば、前記給水開閉バルブには閉鎖状態に変更する制御信号を印加すると同時に前記排水開閉バルブには開放状態に変更する制御信号を印加し、造景システムの給水パイプに残留する水を排水する排水状態へ切換える。
【００２７】
また、前記制御部では、温度測定部から入力される測定値が設定温度（例えば、０℃、５℃、１０℃、１５℃など）以上であれば、前記給水開閉バルブには開放状態に変更する制御信号を印加すると同時に前記排水開閉バルブには閉鎖状態に変更する制御信号を印加し、正常に造景システムの給水パイプに水を供給する水供給状態へ切換える。
【００２８】
前記制御部では、降雨感知部から雨が降る信号が入力されると、前記温度測定部から入力される温度測定値に関係なく、給水開閉バルブに閉鎖状態に変更する制御信号を印加する。
【００２９】
また、前記制御部では、降雨感知部から雨が降る信号が入力されない場合は、前記温度測定部から入力される温度測定値に応じて制御を行う状態を維持する。
【００３０】
そして、本発明による組み立て式造景システムの実施形態は、前記給水パイプと水供給源の間に設けられるポンプと、前記ポンプに電力を供給する自家発電部とをさらに含むことも可能である。
【００３１】
前記自家発電部は、太陽電池モジュールと、前記太陽電池モジュールと電気的に連結される充電池と、前記充電池と電気的に連結されるインバータを含んで構成される。
【発明の効果】
【００３２】
本発明による組み立て式植栽箱及び組み立て式造景システムの実施形態によれば、造景、室内外の装飾などが必要な公園やベランダ、橋梁、道路周辺、建物の前、窓枠、壁面や壁体、天井、看板、室内パーティションなどにいつでも簡便に組み立てて使用することが可能である。
【００３３】
そして、本発明による組み立て式植栽箱及び組み立て式造景システムの実施形態によれば、必要に応じて特定の植栽箱を分離して他の植栽箱に交替する作業が非常に便利になるので、多様な花や木が植栽されている植栽箱を交替することによって造景環境や室内外の装飾を簡単で容易に変更させることが可能である。
【００３４】
また、本発明による組み立て式植栽箱及び組み立て式造景システムの実施形態によれば、植栽箱や受け板などを多様な大きさに標準化して提供する場合、各家庭や使用者が自身の意図に合わせて標準化された製品を購入し、着脱する方法で容易に造景や室内外の装飾を行い、変化させることが可能である。
【００３５】
また、本発明による組み立て式植栽箱及び組み立て式造景システムの実施形態によれば、使用者の注文に合わせて受け板と植栽箱の構成を１つのセットとして梱包して提供することが可能であり、現場または一定の設置場所では、梱包を解体して順に組み立てる作業だけで希望する造景を構成することが可能であり、注文生産も可能である。
【００３６】
本発明による組み立て式植栽箱及び組み立て式造景システムの実施形態によれば、給水パイプを通じて水を供給することが可能になるので、水を与える作業が非常に便利であり、給水量を調節することも可能である。
【００３７】
そして、本発明による組み立て式植栽箱及び組み立て式造景システムの実施形態によれば、植栽箱が地面と平行に横に設置する場合も入口が底面より高く位置するように維持することが可能であるので、植栽箱の内部から土砂などがこぼれることを防止し、植物が安定して育ち、また根が堅固に支持される。
【００３８】
本発明による組み立て式造景システムの実施形態によれば、植栽箱を水平に横にしたり若干傾いた状態に設置することが可能であるので、垂直面に対する造景を行うことが可能である。したがって、ビルや高層住宅、擁壁、築台、地下車道の壁面などに対して植物を利用した造景を行うことが可能であり、建物及び都市の美観を自然親和的に構成することが可能である。
【００３９】
また、建物の壁面及び屋根を本発明による組み立て式造景システムの実施形態を利用して締め切りを行えば、輻射熱を効果的に遮断することはもちろん、断熱性が向上するので、建物の冷暖房費を節減することが可能であり、環境親和的にエネルギーを節減することも可能である。
【００４０】
本発明による組み立て式造景システムの実施形態によれば、温度が０℃未満に降りる場合には給水パイプ内部に残っている水を全て排水することが可能であるので、給水パイプが凍って破損することを効果的に防止することができる。
【００４１】
また、本発明による組み立て式造景システムの実施形態によれば、雨が降る場合に給水を遮断するので水の不要な浪費を最小化することが可能であり、植栽された植物に過度な水分を供給することを防止する。
【００４２】
そして、本発明による組み立て式造景システムの実施形態によれば、温度及び降雨があるか否かを感知して自動的に給水するか否かを制御することが可能であるので、給水管理のための別途の人力を必要とせず、遠距離に位置した場合にも周期的な点検だけを行えば済むので、維持補修が非常に容易に行われる。
【００４３】
さらに、本発明による組み立て式植栽箱及び組み立て式造景システムの実施形態によれば、太陽光や風力などによる自家発電が可能であるので、制御部及びポンプなどの給水装置、照明装置などの可動のために必要な電力を自体で供給することが可能である。
【図面の簡単な説明】
【００４４】
【図１】本発明の第１の実施形態にかかる組み立て式植栽箱を示す斜視図である。
【図２】本発明の第１の実施形態にかかる組み立て式植栽箱を示す底面斜視図である。
【図３】本発明の第２の実施形態にかかる組み立て式植栽箱を示す斜視図である。
【図４】本発明の第２の実施形態にかかる組み立て式植栽箱を示す正面図である。
【図５】本発明の第２の実施形態にかかる組み立て式植栽箱を示す断面図である。
【図６】本発明の第２の実施形態にかかる組み立て式植栽箱における根支持ひもを設置した状態を示した平面断面図である。
【図７】本発明の第３の実施形態にかかる組み立て式植栽箱を示す平面断面図である。
【図８】本発明の第４の実施形態にかかる組み立て式造景システムを示す斜視図である。
【図９】本発明の第４の実施形態にかかる組み立て式造景システムを示す正面図である。
【図１０】本発明の第４の実施形態にかかる組み立て式造景システムを示す側面断面図である。
【図１１】本発明の第４の実施形態にかかる組み立て式造景システムを示す植栽箱と支持板の分離斜視図である。
【図１２】本発明の第４の実施形態にかかる組み立て式造景システムを示す部分拡大正面図である。
【図１３】図１２のＡ−Ａ線断面図である。
【図１４】図１２のＢ−Ｂ線断面図である。
【図１５】本発明の第４の実施形態にかかる組み立て式造景システムにおける支持板及び給水パイプを示す正面図である。
【図１６】図１５のＣ−Ｃ線断面図である。
【図１７】本発明の第４の実施形態にかかる組み立て式造景システムにおける支持板と給水パイプをセットで構成した状態を示した斜視図である。
【図１８】本発明の第４の実施形態にかかる組み立て式造景システムにおける複数の給水パイプを連結する状態を示す部分拡大断面図である。
【図１９】本発明の第４の実施形態にかかる組み立て式造景システムにおいて、支持板を連結具を利用して連結した状態を示す正面図である。
【図２０】本発明の第４の実施形態にかかる組み立て式造景システムにおいて、締切フレームが設けられた状態を示す正面図である。
【図２１】本発明の第４の実施形態にかかる組み立て式造景システムにおいて、締切フレームが設けられた状態を示す側面断面図である。
【図２２】本発明の第４の実施形態にかかる組み立て式造景システムにおける締切フレームを示す部分拡大の側面断面図である。
【図２３】本発明の第５の実施形態にかかる組み立て式造景システムにおける植栽箱及び支持板を示す側面図である。
【図２４】本発明の第６の実施形態にかかる組み立て式造景システムにおける植栽箱及び支持板を示す側面図である。
【図２５】本発明の第７の実施形態にかかる組み立て式造景システムを示す側面断面図である。
【図２６】本発明の第７の実施形態にかかる組み立て式造景システムを示す部分拡大の側面断面図である。
【図２７】本発明の第８の実施形態にかかる組み立て式造景システムを概略的に示す斜視図である。
【図２８】本発明の第８の実施形態にかかる組み立て式造景システムにおける給水装置の一実施形態を概略的に示すブロック図である。
【図２９】本発明の第８の実施形態にかかる組み立て式造景システムにおける給水装置の他の実施形態を概略的に示すブロック図である。
【図３０】本発明の第８の実施形態にかかる組み立て式造景システムにおける給水装置の他の実施形態を概略的に示すブロック図である。
【図３１】本発明の第８の実施形態にかかる組み立て式造景システムにおける自家発電部を示すブロック図である。
【発明を実施するための形態】
【００４５】
次に、本発明による組み立て式植栽箱及び組み立て式造景システムの好ましい実施形態を、図面を参照して詳しく説明する。
【００４６】
まず、本発明の第１の実施形態にかかる組み立て式植栽箱は、図１及び図２に示したように、一側面が開口された筒状からなり、各側面には複数の通気孔１２が形成される本体１１と、前記本体１１の底面に突出して形成される複数の締結突起１６とを含んで構成される。
【００４７】
前記本体１１は、軽くて優れた強度を持つように合成樹脂などの材質からなる。
【００４８】
前記では本体１１を四角筒状に形成することについて説明したが、その他にも円筒や六角筒、楕円筒など多様な筒状に形成することができる。
【００４９】
前記本体１１は、一辺の長さまたは直径をほぼ３ｃｍ程度から１ｍ程度まで多様な大きさに設定して形成することができる。
【００５０】
前記締結突起１６は、前記本体１１の底面に所定の間隔をおいてほぼ２〜１０個程度を横または縦に配列して形成する。
【００５１】
前記締結突起１６は図２に示したように、互いに垂直に交差する方向に長い幅（ｗｉｄｔｈ）側が配列されるように形成する。
【００５２】
例えば、前記締結突起１６を薄い厚さ（ｔｈｉｃｋｎｅｓｓ）と長い幅（ｗｉｄｔｈ）からなる直六面体の柱形態に突出させて形成する場合において、１つの締結突起１６を縦方向に長い幅側を配列すれば、他の１つの締結突起１６を横方向に長い幅側を配列して形成する。
【００５３】
図１〜図２及び図８、図１３に示したように、前記本体１１の底面には給水パイプ３０が位置するパイプ溝１３を形成することも可能である。
【００５４】
前記パイプ溝１３は前記給水パイプ３０のほぼ半分ほどが挿入されて覆われるように、ほぼ半円形状に形成する。
【００５５】
前記パイプ溝１３には、前記給水パイプ３０の給水突起３２が組み立てられる組み立て用孔１４を形成する。
【００５６】
そして、本発明の第２実施形態にかかる組み立て式植栽箱は、図３〜図５に示したように、前記本体１１の一側側面には結合突起２３を形成し、他側面には前記結合突起２３と対応する溝突起２４を形成する。
【００５７】
例えば、前記本体１１を四角筒状に形成する場合において、隣接して位置する２つの側面には１つ以上の結合突起２３を形成し、前記結合突起２３が形成される側面と各々対向する２つの側面の対応する位置には溝突起２４を形成する。
【００５８】
前記で、結合突起２３は前記本体１１の側面に高さ方向に所定の長さに突出して形成する。
【００５９】
前記溝突起２４は前記本体１１の側面に高さ方向に所定の長さに突出して形成され、前記結合突起２３が挿入される結合溝２５が形成される。
【００６０】
前記結合突起２３はほぼ円柱形状または四角柱形状などに形成し、前記本体１１の各側面に１個または２〜３個程度形成する。
【００６１】
前記結合溝２５が形成される溝突起２４は、隣接する前記本体１１の他側面に形成された結合突起２３の位置と対応する位置に形成し、前記結合溝２５は前記結合突起２３の形状に対応する形状に形成する。
【００６２】
そして、図１及び図３に示したように、前記本体１１の少なくとも１つの側面には複数の通気孔１２を形成することも可能である。
【００６３】
前記通気孔１２は、内部へ十分に酸素が供給され、通水（例えば、水抜け）なども可能であるように適切な数と大きさ、間隔などを設定して形成する。
【００６４】
前記で、通気孔１２の内部側には内部の土砂（人工土壌や砂、土など）が流れ出ないようにするために布地や網などを設置することも可能である。
【００６５】
そして、図６に示したように、前記本体１１の互いに向き合う側面に形成される通気孔１２に対角方向に２個以上の根支持ひも２０を設置することも可能である。
【００６６】
前記のように根支持ひも２０を設置すれば、植栽される花や木などの植物根が根支持ひも２０を巻きつつ成長し、互いに這って堅く支持されるので、そば若しくは逆に設置しても土などがこぼれずに植物の成長が可能であるので、本発明による組み立て式植栽箱を底面や壁体、天井などに設置することも可能である。
【００６７】
図面には示していないが、前記本体１１の底面にも通気及び／または排水などのための孔を形成することも可能である。
【００６８】
前記本体１１の互いに向き合う一対の側面には、図１及び図２に示したように、取っ手孔１８を形成することも可能である。
【００６９】
前記取っ手孔１８は楕円形状やトラック形状などからなり、前記本体１１の開口側端部に形成する。
【００７０】
そして、本発明の第３実施形態にかかる組み立て式植栽箱は、図７に示したように、前記本体１１の各側面に前記結合溝２３と溝突起２４を一対ずつ形成する。
【００７１】
前記で、各側面に一対ずつ形成する結合突起２３と溝突起２４を９０°回転するたびに同一の位置に位置するように構成すれば、組み立て時に結合突起２３や溝突起２４の位置を確認する必要がないので非常に便利である。
【００７２】
また、この場合は前記パイプ溝１３を十字形状に形成することが、９０°回転させて組み立てる場合にも前記給水パイプ３０が自然に挿入されるので好ましい。
【００７３】
そして、本発明の第４実施形態にかかる組み立て式造景システムは、図８〜図１０に示したように、複数の植栽箱１０、支持板６０、及び給水パイプ３０を含んで構成される。
【００７４】
前記支持板６０は、地面２または建物の底面と垂直な壁面４に固定設置することも可能である。
【００７５】
前記で、植栽箱１０は前記本発明の第１実施形態〜第３実施形態にかかる組み立て式植栽箱の構成を適用して実施することが可能であるので、詳細な説明は省略する。
【００７６】
前記支持板６０には、前記植栽箱１０の締結突起１６が挿入される複数の締結孔６１が各々対応する位置に形成される。
【００７７】
前記給水パイプ３０は前記植栽箱１０と支持板６０の間に挿入されて設けられる。
【００７８】
前記給水パイプ３０は、前記支持板６０に所定の間隔（例えば、植栽箱１０の大きさに対応する間隔）で配列されて設けられる。
【００７９】
前記給水パイプ３０には給水のための複数の給水突起３２が突出して形成される。
【００８０】
前記植栽箱１０の締結突起１６は図１１〜図１３に示したように、前記支持板６０の締結孔６１に各々対応して挿入される。つまり、前記締結突起１６と締結孔６１を各々対応する位置に形成する。
【００８１】
前記で、１つの植栽箱１０にはほぼ２〜１０個程度の締結突起１６を形成し、前記支持板６０にはこれに対応する数の締結孔６１を形成する。
【００８２】
前記１つの植栽箱１０に直六面体の柱形状に突出させて形成する締結突起１６を互いに垂直に交差する方向に長い幅（ｗｉｄｔｈ）が配列されるように形成すれば、縦方向に外力が作用する場合及び横方向に外力が作用する場合全てにおいて、長い幅（ｗｉｄｔｈ）方向が外力の作用方向と垂直方向に位置する締結突起１６が少なくとも１つ以上存在し、力を受けられるので、一定の対抗力を維持することができる。また、締結突起１６が外力によって簡単に破損して植栽箱１０が横にされ、倒れることが発生しなくなる。
【００８３】
前記締結突起１６は、前記植栽箱１０の底面周縁及び／または隈部分などに位置するように形成することが可能である。
【００８４】
前記締結突起１６の端部には、前記締結孔６１に挿入された状態で締結孔６１周囲にかかって、挿入された状態が維持されるようにかかり部１７を形成することも可能である。
【００８５】
前記のようにかかり部１７を形成すれば、締結突起１６が締結孔６１に挿入された状態で簡単に離脱しないので、植栽箱１０が横にして設けられる場合（地面と垂直な壁面に設けられる場合）にも前記支持板６０との結合強度が優れるように維持される。
【００８６】
前記で、かかり部１７は一方向に配列された締結突起１６にのみ形成することが好ましい。例えば、横方向に長く幅（ｗｉｄｔｈ）側が配列されて設けられる締結突起１６にのみ形成したり、縦方向に長く幅（ｗｉｄｔｈ）側が配列されて設けられる締結突起１６にのみ形成することが、植栽箱１０を交替したり補修するために支持板６０から分離する作業が容易に行われるので好ましい。
【００８７】
前記植栽箱１０の底面には、図１１〜図１４に示したように、前記給水パイプ３０の半分ほどが挿入されるようにほぼ半円形状のパイプ溝１３を形成する。
【００８８】
前記パイプ溝１３には、前記給水パイプ３０の給水突起３２が組み立てられる組み立て用孔１４を形成する。
【００８９】
前記複数の支持板６０は図１５に示したように、横及び縦に配列して設けられる。
【００９０】
前記支持板６０は、１つの支持板６０に多数の植栽箱１０が横及び／または縦に配列されて組み立てられるように植栽箱１０の複数倍の面積で形成する。
【００９１】
図面には示していないが、前記支持板６０は前記植栽箱１０の広さと同一な広さに形成することもできる。
【００９２】
前記支持板６０の一側（前方）面には前記給水パイプ３０が挿入されるパイプ溝６３を長く形成する。
【００９３】
前記支持板６０に形成されるパイプ溝６３はほぼ半円形状に形成する。
【００９４】
前記で、植栽箱１０のパイプ溝１３と支持板６０のパイプ溝６３は互いに向き合って接することによって、内部に前記給水パイプ３０が位置するように円筒形状を成す。
【００９５】
前記支持板６０のパイプ溝６３には、図１６に示したように、前記給水パイプ３０が挿入された状態で簡単に離脱しないようにとめ突起６４を形成することも可能である。
【００９６】
前記とめ突起６４は、前記パイプ溝６３の入口側端部に一対が互いに向き合う状態でパイプ溝６３の長さ方向に沿って複数対を形成する。
【００９７】
図面には示していないが、前記植栽箱１０のパイプ溝１３にも、前記給水パイプ３０が挿入された状態で簡単に離脱しないように前記とめ突起６４を形成することも可能である。
【００９８】
前記支持板６０には、壁面４などにアンカーボルトやネジ釘などを利用して固定するための複数の固定孔６５を所定の間隔をおいて形成することも可能である。
【００９９】
前記給水パイプ３０は、図８及び図９に示したように、全体にわたって１つのラインを形成するように直列に連結することも可能であり、並列に連結することも可能である。
【０１００】
前記給水パイプ３０の給水突起３２は、前記植栽箱１０に１つまたは２つ以上ずつ配置されるように所定の間隔で突出して形成する。
【０１０１】
前記給水突起３２は、上面を開放させて水が上面に流出するように構成することも可能であり、側面に多数の孔を形成して水が側面に流出するように構成することも可能であり、上面と側面に共に流出するように構成することも可能である。
【０１０２】
前記で、給水パイプ３０には、図１４に示したように、前記給水突起３２を通じて一部分が前記植栽箱１０側に露出する芯３３を設置することも可能である。
【０１０３】
前記芯３３は、前記給水パイプ３０内部の水を吸収貯蔵するように多孔質の繊維形態からなり、細くて長い円筒形状などに形成される。
【０１０４】
前記芯３３は、前記給水突起３２から前記給水パイプ３０の内部空間を直径方向に横切って設けられる。
【０１０５】
前記のように芯３３を設置すれば、芯３３の毛細管力によって給水パイプ３０内部の水が植栽箱１０側へ移動するようになり、植栽箱１０内部の水分が使用され、蒸発する場合にこれに対応して持続的に給水パイプ３０の水が自動的に供給されるシステムになる。
【０１０６】
前記のように芯３３の毛細管力による自動給水過程を通して水が供給されれば、水の浪費が最小化され、給水パイプ３０の水が過度に植栽箱１０に供給されて外部に流出する事態が防止される。
【０１０７】
前記給水パイプ３０は図面には示していないが、水が供給される水道の蛇口や水タンク、河川、水路などに連結して使用する。
【０１０８】
前記給水パイプ３０には、水の供給有無及び給水量を調節するための開閉バルブを設置することも可能であり、水を圧送及び循環させるための給水ポンプを設置することも可能である。
【０１０９】
前記で、給水パイプ３０の水道の蛇口や水タンクなどに連結される反対側の端部は閉鎖して、水が外部に流出するのを防止することも可能であり、下水溝側に連結して、供給され残った水が排出されるように構成することも可能であり、水が循環するように構成することも可能である。
【０１１０】
前記給水パイプ３０を通過する給水量の調節は、前記開閉バルブまたは給水ポンプにタイムスイッチを連結して自動的に制御されるように構成することも可能である。
【０１１１】
前記横または縦に互いに隣接して位置する支持板６０は前記給水パイプ３０を媒介として連結させることができる。
【０１１２】
前記支持板６０と給水パイプ３０は、図１７に示したように、前記支持板６０と前記給水パイプ３０を一定の面積（例えば、１〜１００ｍ２）を維持するように配列して一体化し、１つのセットに供給することも可能である。
【０１１３】
前記のように支持板６０と給水パイプ３０をセット化して供給すれば、現場で注文して組み立てることが非常に便利になる。
【０１１４】
前記互いに隣接して位置する支持板６０に各々設けられる給水パイプ３０は、図１８に示したように、互いに組み立て、連結しやすいように一側端部には雌組み立て部３５を形成し、他側端部には前記雌組み立て部３５に組み立てられる雄組み立て部３６を形成することも可能である。
【０１１５】
前記のように構成される本発明の第４実施形態による組み立て式造景システムは、図１９に示したように、前記支持板６０の角部に連結溝６６、６７を形成し、連結溝６６、６７に連結具７０を挿入することによって、横及び／または縦に互いに隣接して位置する支持板６０同士で組み立て、連結することも可能である。
【０１１６】
例えば、前記連結具７０を、一対の水平部７２、７４が所定の間隔をおいて一体に連結設けられる「Ｈ」形状に形成し、１つの水平部７２は前記支持板６０の一側連結溝６６に挿入されるように構成し、他の１つの水平部７４は他の支持板６０の連結溝６７に挿入されるように構成する。
【０１１７】
前記のように連結具７０を「Ｈ」形状に構成すれば、連結された支持板６０を両側に引っ張っても一対の水平部７２、７４が各々連結溝６６、６７に挿入されているので、互いに分離しなくなる。
【０１１８】
前記のように構成される本発明の第４実施形態にかかる組み立て式造景システムは、図２０〜図２２に示したように、前記複数の支持板６０の周りに沿って環形状に枠組みを形成するように設けられる締切フレーム８０をさらに含むことも可能である。
【０１１９】
前記締切フレーム８０は前記支持板６０や設置する壁面４などに固定することが可能である。
【０１２０】
前記締切フレーム８０は、四角環形状など、前記複数の支持板６０が成す枠組み形状に応じて多様な形状に形成することができる。
【０１２１】
そして、本発明の第５実施形態による組み立て式造景システムは、図２３に示したように、前記植栽箱１０の開口側（入口側）端面１９を傾斜面に形成する。
【０１２２】
前記植栽箱１０の開口側端面１９は、垂直面に対してほぼ３〜６０°程度の傾きで傾く傾斜面に形成する。
【０１２３】
前記のように植栽箱１０の開口された端面１９を傾斜面に形成すれば、前記支持板６０の一側（前方）面が地面２と垂直を成す状態で壁面４などに設置され、前記植栽箱１０が前記地面２と水平を成すように横に設けられる場合、前記植栽箱１０から土砂、砂利などがこぼれるのを防止することが可能であり、植栽された植物６が安定した状態で植栽箱１０内に支持され、植物６が水平または上側に向かって育つことも可能である。
【０１２４】
前記第５実施形態においても前記構成以外には前記第４実施形態と同様な構成で実施することが可能であるので、詳細な説明は省略する。
【０１２５】
そして、本発明の第６実施形態による組み立て式造景システムは、図２４に示したように、前記植栽箱１０の底面１５を傾斜面に形成する。
【０１２６】
前記底面１５は、前記植栽箱１０が前記支持板６０の一側面（垂直面）に対してほぼ３〜６０°程度の傾きで傾斜して立てられるように形成する。
【０１２７】
前記のように植栽箱１０の底面１５を傾斜面に形成すれば、前記支持板６０の一側面が前記地面２と垂直を成すように壁面４等に設けられる場合及び前記植栽箱１０が横に設けられる場合、前記植栽箱１０の開口側端面が底面１５側より高く位置するので、前記植栽箱１０から土砂、砂利などがこぼれることをより確実に防止することができ、植栽された植物６が安定した状態で植栽箱１０内に支持され、植物６が上側に向かって育つことも可能である。
【０１２８】
前記第６実施形態においても前記構成以外には前記第４実施形態と同様の構成で実施することが可能であるので、詳細な説明は省略する。
【０１２９】
そして、本発明の第７実施形態による組み立て式造景システムは、図２５及び図２６に示したように、前記支持板６０の一側（前方）面を階段形状に形成することも可能である。
【０１３０】
例えば、前記支持板６０の一側面を各々段差６８によって互いに区切られ、続いて形成される複数の傾斜面６９に形成する。
【０１３１】
前記傾斜面６９は、前記植栽箱１０が支持板６０の一側面（垂直面）にほぼ３〜６０°程度の傾きで傾斜して立てられるように形成する。
【０１３２】
前記のように支持板６０の一側面を階段形状に形成すれば、前記植栽箱１０が開口側端面１９や底面１５を傾斜面に形成しなくても植栽箱１０が横に設けられる場合、前記植栽箱１０の開口側端面が底面１５側より高く位置するので、前記植栽箱１０から土砂、砂利などがこぼれることをより確実に防止することができ、植栽された植物が安定した状態で植栽箱１０内に支持され、植物が上側に向かって育つことも可能である。
【０１３３】
前記第７実施形態においても前記構成以外には前記第４実施形態と同様の構成で実施することが可能であるので、詳細な説明は省略する。
【０１３４】
前記第５実施形態〜第７実施形態において、前記植栽箱１０の開口側（入口側）端面１９及び底面１５に形成される傾斜面と前記支持板６０の一側面（植栽箱１０が組み立てられる面）に形成される傾斜面６９を垂直面に対して３°未満の傾きで形成する場合、傾斜面を形成する効果が十分に得られず、垂直面に対して６０°を超える傾きで形成する場合、露出する側面の面積が広くなり、装飾美が落ち、壁面造景の効果が低下するという問題がある。
【０１３５】
そして、本発明の第８実施形態による組み立て式造景システムは、図２７及び図２８に示したように、前記給水パイプ３０に水を供給する給水装置１００をさらに含む。
【０１３６】
前記給水装置１００は、水供給源１１０、主給水管１２０、排水管１３０、温度測定部１４２、降雨感知部１４４、及び制御部１６０を含んで構成される。
【０１３７】
前記水供給源１１０には、前記植栽箱１０に植栽された植物（芝、草、花、小型灌木、高木、野菜、果物など）に供給するための水が貯蔵される水タンクや水道管、地下水管などが使用可能である。
【０１３８】
前記水供給源１１０から供給される水には、必要に応じて植栽箱１０に植栽された植物に適した栄養分を添加することも可能である。
【０１３９】
前記水供給源１１０を水タンクで構成する場合には、重力によって自然に給水パイプ４側に水が移動できるように、植栽箱１０の位置より高い位置に設置することもできる。
【０１４０】
前記主給水管１２０には給水開閉バルブ１２４が設けられる。前記給水開閉バルブ１２４は制御信号に応じて自動的に制御することが可能であるように、ソレノイドバルブなどを利用して構成することが好ましい。
【０１４１】
前記主給水管１２０は前記水供給源１１０と前記給水パイプ３０を連結するように設けられる。
【０１４２】
前記水供給源１１０の水は、主給水管１２０を通して前記給水パイプ３０に供給される。
【０１４３】
前記排水管１３０には排水開閉バルブ１３４が設けられる。前記排水開閉バルブ１３４は制御信号に応じて自動的に制御することが可能であるように、ソレノイドバルブなどを利用して構成することが好ましい。
【０１４４】
前記排水管１３０は前記給水パイプ３０終端部（端部）に連結され、地面や下水溝または排水口側へ排水がなされるように設けられる。
【０１４５】
前記排水管１３０を通じて、前記給水パイプ３０に残留する水が地面や下水溝側に排出される。
【０１４６】
図２７に示したように、前記排水管１３０の排水開閉バルブ１３４が設置される以前の地点で分岐してドレイン管１９０を設置することもできる。
【０１４７】
前記ドレイン管１９０は、給水パイプ３０の水を再び水供給源１１０側へ還元して再使用するために使用する。
【０１４８】
前記温度測定部１４２は支持板６０または締切フレーム８０の一側に設置されて、植栽箱１０が設けられた地域の温度を測定するように構成する。
【０１４９】
前記温度測定部１４２は温度センサーなどを利用して構成し、前記制御部１６０に測定信号を効果的に伝達できるようにデジタル温度センサーを利用して構成することが好ましい。
【０１５０】
前記降雨感知部１４４は前記支持板６０または締切フレーム８０の一側に設置されて、植栽箱１０が設けられた地域の降雨の有無（雨が降るか否か）を感知するように構成する。
【０１５１】
前記降雨感知部１４４は降雨量計や降雨感知センサーなどを利用して構成する。
【０１５２】
前記温度測定部１４２と降雨感知部１４４は１つの基板にセットに構成して設置することも可能である。
【０１５３】
前記制御部１６０は、前記温度測定部１４２と降雨感知部１４４から入力される測定信号に応じて、前記給水開閉バルブ１２４と排水開閉バルブ１３４に制御信号を印加するように構成する。
【０１５４】
例えば、前記制御部１６０は、前記給水開閉バルブ１２４を開放して、水供給源１１０の水を前記給水パイプ３０に供給する水供給状態、及び前記給水開閉バルブ１２４を閉鎖し前記排水開閉バルブ１３４を開放して前記給水パイプ３０に残留する水を排水する排水状態を、前記温度測定部１４２と降雨感知部１４４からの測定信号に応じて制御するように構成する。
【０１５５】
前記制御部１６０では、温度測定部１４２から入力される測定値が設定温度（例えば、０℃）未満であれば、前記給水開閉バルブ１２４には閉鎖状態に変更する制御信号を印加し、前記排水開閉バルブ１３４には開放状態に変更する制御信号を印加する。
【０１５６】
このような排水状態に転換して制御部１６０から制御信号を印加することによって、前記給水パイプ３０に供給される水は遮断された状態で、給水パイプ３０に残留する水は排水管１３０を通して排水される。したがって、給水パイプ３０内部の水が凍って破損する事故（凍破事故）を防止することができる。
【０１５７】
また、前記制御部１６０では、温度測定部１４２から入力される測定値が設定温度（例えば、０℃）以上であれば、前記給水開閉バルブ１２４には開放状態に変更する制御信号を印加し、前記排水開閉バルブ１３４には閉鎖状態に変更する制御信号を印加する。この時、前記水供給源１１０から供給される水が自然に発生して流れる水（例えば、わき水や川の水など）であって、続けて流すことが可能である場合は、排水開閉バルブ１３４を閉鎖状態に変更しないことも可能である。
【０１５８】
このような水供給状態に転換して制御部１６０で制御信号を印加することによって、前記給水パイプ３０に水の供給が行われる。
【０１５９】
前記では水が凍る温度の０℃を基準に制御部１６０で制御を行うことについて説明したが、実質的に植物が水を別に必要としない低い温度（例えば、５℃または１０℃、１５℃以下）では水の供給を遮断するように制御部１６０を構成することも可能である。
【０１６０】
そして、植栽箱１０に植栽される植物が持続的な水の供給を必要としない植物（例えば、サボテンなど）である場合は、タイマー（図示せず）を制御部１６０に連結して、一定の周期別（例えば、時間単位や日単位、週単位など）で水の供給と遮断を行うように構成することも可能である。
【０１６１】
そして、前記制御部１６０では、降雨感知部１４４から雨が降る信号が入力されると、前記給水開閉バルブ１２４に閉鎖状態に変更する制御信号を印加する。
【０１６２】
前記制御部１６０では、前記温度測定部１４２から入力される温度測定値に関係なく前記降雨感知部１４４から雨が降る信号が入力されると、前記給水開閉バルブ１２４に閉鎖状態に変更する制御信号を印加する。
【０１６３】
つまり、雨が降る天気には植栽された植物に別途水を供給する必要がないので、前記給水パイプ３０に水を供給する主給水管１２０の給水開閉バルブ１２４を閉鎖状態に変更する。
【０１６４】
前記で、降雨感知部１４４から入力された降雨信号に応じて前記給水開閉バルブ１２４を閉鎖する場合には、前記排水開閉バルブ１３４は開放状態に変更することも可能であり、閉鎖状態を維持することも可能である。例えば、雨が降る天気の場合には前記給水パイプ３０に水が残留することも可能であり、給水パイプ３０の水を排水することも可能である。
【０１６５】
前記で、給水パイプ３０に水が満たされている場合には雨水が植栽箱１０の植栽空間に入り込む水の排水が円滑でないことがあるので、排水開閉バルブ１３４を開放して給水パイプ３０内部の水を排水することがより好ましい。
【０１６６】
例えば、前記制御部１６０は、前記降雨感知部１４４から雨が降ると測定信号が入力される場合には、前記温度測定部１４２から設定温度未満であると温度測定値が入力される場合と同様に排水状態に制御を転換するように構成することも可能である。
【０１６７】
前記制御部１６０では、降雨感知部１４４から雨が降る信号が入力されない場合には、前記温度測定部１４２から入力される温度測定値に応じて制御を行う状態を維持する。
【０１６８】
例えば、前記制御部１６０では、前記降雨感知部１４４から雨が降る信号が入力される途中で雨が降らない信号が入力される場合には、前記給水開閉バルブ１２４に閉鎖状態から開放状態に変更する制御信号を印加する。
【０１６９】
前記のように制御部１６０で降雨感知部１４４の測定信号に対応して制御信号を印加することによって、雨が降る場合には給水パイプ３０に水の供給が遮断されて不要な水の浪費を最小化することができる。つまり、雨が降る場合には植栽箱１０に植栽された植物や土壌が雨から十分に水分を吸収することができるので、追加的な水の供給が必要でない。
【０１７０】
前記制御部１６０は、前記給水開閉バルブ１２４の開度を調節して、前記温度測定部１４２で測定される温度測定値に応じて水の供給量を調節できるように構成することも可能である。
【０１７１】
例えば、前記制御部１６０は、前記温度測定部１４２で測定される温度が３０℃以上の高温である場合には前記給水開閉バルブ１２４の開度を最大に調節して水の供給量を十分に維持し、前記温度測定部１４２で測定される温度が２５〜３０℃の範囲にある場合には前記給水開閉バルブ１２４の開度を中間から最大の間で調節して水の供給量を中間に維持し、前記温度測定部１４２で測定される温度が１５〜２５℃の範囲にある場合には前記給水開閉バルブ１２４の開度を最小から中間の間で調節して水の供給量を少量に維持するように構成することも可能である。
【０１７２】
前記で、給水開閉バルブ１２４を開放状態に変更する場合にも水圧を小さく維持すれば、植栽箱１０に植栽された植物が土壌から水分を吸い込む程度によって給水パイプ３０の水が消費され、これによって水の供給が自然に行われるようになる。
【０１７３】
前記制御部１６０において正常的な水供給状態とは、給水開閉バルブ１２４を開放状態に変更することだけを意味するわけではなく、植栽箱１０に植栽された植物によって消費される水の量によって断続的または持続的に供給される水の量を調節する状態を意味する。
【０１７４】
例えば、前記制御部１６０は、水供給状態で給水開閉バルブ１２４の開度を最小から最大の間で水の消費量によって調節するように構成することも可能であり、前記給水開閉バルブ１２４の開放と閉鎖を一定の周期（時間帯別、日単位別、週単位別、月単位別）ごとに反復して行い、水の供給量を調節するように構成することも可能である。
【０１７５】
前記では本発明による給水装置の一実施形態を組み立て式造景システムに適用することについて説明したが、本発明はこれに限定されるわけではなく、種苗システムや水耕栽培システムなどの多様な植物栽培装置やシステムに本発明の給水装置を適用することも可能である。
【０１７６】
そして、本発明の第８実施形態にかかる組み立て式造景システムにおいて給水装置の他の実施形態は図２９に示したように、水供給源１１０と主給水管１２０の間にポンプ１７０を設置する。
【０１７７】
前記のようにポンプ１７０を設置すれば、水供給源１１０の高さ（例えば、水タンクの高さ）を植栽箱１０が設けられた支持板６０の高さと関係なく自由に設定することができる。
【０１７８】
前記のように設けられるポンプ１７０の場合にも、前記制御部１６０で作動の有無に対する制御信号を印加するように構成する。
【０１７９】
前記制御部１６０では、前記給水開閉バルブ１２４を閉鎖状態に変更する場合にポンプ１７０の作動を停止させる制御信号を印加し、前記給水開閉バルブ１２４を開放状態に変更する場合にポンプ１７０を作動させる制御信号を印加する。
【０１８０】
前記のようにポンプ１７０を設置する場合には、前記給水開閉バルブ１２４が開放状態に変更されてもポンプ１７０が作動しない場合には水の供給が制約的であるので、ポンプ１７０が作動するか否かを前記制御部１６０で制御することによって水の供給量を調節することができる。
【０１８１】
そして、本発明の第８実施形態にかかる組み立て式造景システムにおいて給水装置の他の実施形態は、図３０及び図３１に示したように、太陽光や太陽熱、風力、水力などを利用して発電を行い、前記制御部１６０とポンプ１７０などに電源を供給する自家発電部１５０をさらに含む。
【０１８２】
前記のように自家発電部１５０を設置すれば、長期間外部に設けられる場合にも効果的に自動制御機能を維持することが可能であり、電源の供給が難しい地域や地点でも効果的に植栽箱１０を設置運営することができる。例えば、道路周辺に設けられる広告板や構造物の壁面に植栽箱１０を設置する場合にも、自然力による発電で電源を供給すれば、効果的に造景システムを運営することができる。
【０１８３】
前記自家発電部１５０は、太陽電池モジュール１５２と、前記太陽電池モジュール１５２と電気的に連結される蓄電池１５４と、前記蓄電池１５４と電気的に連結されるインバータ１５６を含んで構成される。
【０１８４】
図面には示していないが、前記太陽電池モジュール１５２は、一般に幅広く使用される太陽光発電のために使用される太陽電池モジュールと同様の構成で実施することが可能であるため、詳細な説明は省略する。
【０１８５】
前記で、太陽電池モジュール１５２は、太陽光の照射が容易に行われるように柱を利用して所定の高さに傾けて設置する。
【０１８６】
前記インバータ１５６は、前記蓄電池１５４の１２〜２４Ｖ直流電圧を２２０Ｖ交流電圧に変換させるように構成される。つまり、前記ポンプ１７０が交流電圧を利用する場合にはインバータ１５４を設置することが好ましい。
【０１８７】
前記インバータ１５６は、ポンプ１７０などを制御する制御部１６０などと連結される。
【０１８８】
前記でポンプ１７０を直流ポンプとして使用する場合はインバータ１５６を用いる必要がない。
【０１８９】
前記自家発電部１５０は、必要に応じて安定的に一定の電力を供給することができるように電力安定化装置などをさらに含むことも可能である。
【０１９０】
前記のような自家発電部１５０は図面には示していないが、前記ポンプ１７０と制御部１６０以外に、流量制御弁、照明装置などに電力を供給するように構成することも可能である。
【０１９１】
前記では、自家発電部１５０につき、太陽光を利用して発電を行う太陽電池モジュール１５２を使用して構成することについて説明したが、その他にも風力を利用して発電を行う小型風力発電システムを適用して自家発電部１５０を構成することも可能であり、太陽光及び風力を共に利用するように２種類のシステムを共に構成することも可能である。
【０１９２】
前記では、本発明による組み立て式植栽箱及び組み立て式造景システムの好ましい実施形態について説明したが、本発明はこれに限定されるわけではなく、特許請求の範囲及び発明の詳細な説明、添付した図面の範囲内でいろいろ変形して実施することが可能であり、これも本発明の範囲内に属する。
【符号の説明】
【０１９３】
１０        栽培箱
１３，６３  パイプ溝
２５        結合溝
３０        給水パイプ
６０        指示板
【図１】
0005459686.tif 000002
【図２】
0005459686.tif 000003
【図３】
0005459686.tif 000004
【図４】
0005459686.tif 000005
【図５】
0005459686.tif 000006
【図６】
0005459686.tif 000007
【図７】
0005459686.tif 000008
【図８】
0005459686.tif 000009
【図９】
0005459686.tif 000010
【図１１】
0005459686.tif 000011
【図１２】
0005459686.tif 000012
【図１３】
0005459686.tif 000013
【図１４】
0005459686.tif 000014
【図１５】
0005459686.tif 000015
【図１６】
0005459686.tif 000016
【図１７】
0005459686.tif 000017
【図１８】
0005459686.tif 000018
【図１９】
0005459686.tif 000019
【図２２】
0005459686.tif 000020
【図２３】
0005459686.tif 000021
【図２４】
0005459686.tif 000022
【図２５】
0005459686.tif 000023
【図２６】
0005459686.tif 000024
【図２７】
0005459686.tif 000025
【図２８】
0005459686.tif 000026
【図２９】
0005459686.tif 000027
【図３０】
0005459686.tif 000028
【図３１】
0005459686.tif 000029
【図１０】
0005459686.tif 000030
【図２０】
0005459686.tif 000031
【図２１】
0005459686.tif 000032